(57)【要約】【課題】ねじ部材の締め付けに伴うロック装置の位置ずれを抑制し、その位置ずれに起因する見栄えの低下を抑制することのできるロック装置の締結構造を提供する。【解決手段】インストルメントパネル（支持体）に開閉可能に設けられ、かつ外壁に凹部１８を有するグラブボックス（収納具）と、一部が凹部１８内に配置され、グラブボックスを閉位置にロックするとともに操作ハンドル２５の操作に応じてロックを解除するロック装置２６とを備え、ロック装置２６を位置決めピン６１，６２により凹部１８内の所定の箇所に位置決めした状態で、ロック装置２６を凹部１８の取付壁１９に対しねじ部材５７，５８により締結するようにしたロック装置２６の締結構造であって、ねじ部材５７，５８による締結に伴うロック装置２６の回転を規制する突部（回転規制部）６５，６６を設ける。【選択図】図７
2008002118.tif 000002
【特許請求の範囲】
【請求項１】
支持体に開閉可能に設けられ、かつ外壁に凹部を有する収納具と、
一部が前記凹部内に配置され、前記収納具を閉位置にロックするとともに操作部材の操作に応じて前記ロックを解除するロック装置と
を備え、前記ロック装置を位置決めピンにより前記凹部内の所定の箇所に位置決めした状態で、同ロック装置を前記凹部の取付壁に対しねじ部材により締結するようにしたロック装置の締結構造であって、
前記ねじ部材による締結に伴う前記ロック装置の回転を規制する回転規制部を設けることを特徴とするロック装置の締結構造。
【請求項２】
前記回転規制部は、前記取付壁であって前記ロック装置の回転方向前方に設けられ、前記位置決めピンにより位置決めされた前記ロック装置に接触又はそれに相当する状態となる突部である請求項１に記載のロック装置の締結構造。
【請求項３】
前記回転規制部は、前記取付壁の複数箇所に設けられている請求項１又は２に記載のロック装置の締結構造。
【請求項４】
前記ロック装置は、前記支持体に形成されたロック孔にスライドピンが係合されることにより前記収納具を閉位置にロックし、前記操作部材の操作により前記スライドピンが前記ロック孔から後退されることにより前記ロックを解除する請求項１〜３のいずれか１つのロック装置の締結構造。
【請求項５】
前記支持体は車両のインストルメントパネルであり、前記収納具はグラブボックスである請求項１〜４のいずれか１つに記載のロック装置の締結構造。
【発明の詳細な説明】
【技術分野】
【０００１】
本発明は、インストルメントパネル等の支持体にグラブボックス等の収納具を閉位置にロックするロック装置に関し、より詳しくは、ロック装置を収納具に締結する構造の改良に関するものである。
【背景技術】
【０００２】
車両の各部には、小物等を収容するための収納具が設けられている。その一形態として、インストルメントパネルに開閉可能に設けられるグラブボックスがある。図１１及び図１２の少なくとも一方に示すように、このグラブボックスの外壁７１には凹部７２が設けられ、ここにロック装置７３の一部が配置されている。ロック装置７３は、グラブボックスを閉位置にロックするとともに操作ハンドル７４等の操作部材の操作に応じてロックを解除するためのものである（特許文献１参照）。
【０００３】
上記ロック装置７３をグラブボックスに組み付けるために、例えば次の構造が採られている。凹部７２の取付壁７５には孔７６が設けられる一方、ロック装置７３の上記孔７６に対応する箇所にはねじ穴７７が設けられている。また、取付壁７５には位置決め孔７８が設けられる一方、ロック装置７３の上記位置決め孔７８に対応する箇所には位置決めピン７９が突設されている。そして、位置決めピン７９が位置決め孔７８に挿通されることにより、ロック装置７３が凹部７２内の所定の箇所に位置決めされた状態で配置され、この状態でビス等のねじ部材８１が孔７６を通じてねじ穴７７に螺入されることにより、ロック装置７３が凹部７２の取付壁７５に締結される。
【特許文献１】特開２００４−１５６３３１号公報
【発明の開示】
【発明が解決しようとする課題】
【０００４】
ところで、上記ロック装置７３の締結構造にあっては、ロック装置７３の組み付けに際し、ねじ部材８１を締め付けたときにロック装置７３に対し、図１１において時計回り方向の回転トルクが作用する。一方、上記締結構造では、位置決めピン７９を位置決め孔７８に挿通させることにより、幅方向及び高さ方向についての位置決めを行い、そのうえでねじ部材８１を締め付けるようにしているが、上記回転トルクにより位置決めピン７９が撓み、ロック装置７３が凹部７２内の正規の位置からずれて組み付けられるおそれがある。これに伴い操作ハンドル７４が凹部７２内の正規の位置からずれて、すなわち傾いた状態で組み付けられ、操作ハンドル７４と凹部７２の内壁面との間隙が不均一となり、見栄えが低下するおそれがある。
【０００５】
本発明はこのような実情に鑑みてなされたものであって、その目的は、ねじ部材の締め付けに伴うロック装置の位置ずれを抑制し、位置ずれに起因する見栄えの低下を抑制することのできるロック装置の締結構造を提供することにある。
【課題を解決するための手段】
【０００６】
上記目的を達成するために、請求項１に記載の発明は、支持体に開閉可能に設けられ、かつ外壁に凹部を有する収納具と、一部が前記凹部内に配置され、前記収納具を閉位置にロックするとともに操作部材の操作に応じて前記ロックを解除するロック装置とを備え、前記ロック装置を位置決めピンにより前記凹部内の所定の箇所に位置決めした状態で、同ロック装置を前記凹部の取付壁に対しねじ部材により締結するようにしたロック装置の締結構造であって、前記ねじ部材による締結に伴う前記ロック装置の回転を規制する回転規制部を設けることを要旨とする。
【０００７】
上記の構成によれば、ロック装置の収納具への組み付けに際しては、そのロック装置の一部が凹部内に配置される。ロック装置が位置決めピンによって凹部内の所定（正規）の箇所に位置決めされ、この状態でロック装置がねじ部材により凹部の取付壁に締結される。この際、ねじ部材の締め付けに伴いロック装置に回転トルクが作用し、位置決めピンを撓ませながら同ロック装置を取付壁に対し回転させようとする。この点、請求項１に記載の発明では、回転規制部が上記回転トルクの少なくとも一部を受け止めるため、その分、位置決めピンに作用する回転トルクが小さくなる。その結果、位置決めピンのみによって上記回転トルクを受け止める場合に比べ、位置決めピンの撓み度合いが小さくなり、ロック装置が位置決めピンによって規定される凹部内の正規の位置からずれて組み付けられる現象が起こりにくい。これに伴い、位置ずれに起因して操作部材と凹部の内壁面との間隙が不均一となり、見栄えが低下する現象も起こりにくい。
【０００８】
請求項２に記載の発明は、請求項１に記載の発明において、前記回転規制部は、前記取付壁であって前記ロック装置の回転方向前方に設けられ、前記位置決めピンにより位置決めされた前記ロック装置に接触又はそれに相当する状態となる突部であることを要旨とする。
【０００９】
上記の構成によれば、ロック装置が凹部内に配置され、位置決めピンによって位置決めされた状態では、突部からなる回転規制部が、ロック装置に接触又はそれに相当する状態となる。この回転規制部は、凹部の取付壁であってロック装置の回転方向前方に位置している。そのため、ねじ部材の締め付けに伴いロック装置に回転トルクが作用すると、ロック装置が位置決めピンを撓ませながら取付壁に対し回転しようとするが、上記回転トルクの一部が上記回転規制部によって受け止められる。その分、位置決めピンに作用する回転トルクが小さくなって、上記請求項１に記載の発明の効果が確実に得られる。
【００１０】
請求項３に記載の発明は、請求項１又は２に記載の発明において、前記回転規制部は、前記取付壁の異なる複数箇所に設けられていることを要旨とする。
上記の構成によれば、ねじ部材の締め付けに伴いロック装置に回転トルクが作用すると、その回転トルクが、凹部の取付壁の複数箇所に設けられた回転規制部によって受け止められる。１箇所当たりの回転規制部が受け止める回転トルクが少なくなり、各回転規制部を小さく構成することが可能である。
【００１１】
なお、ロック装置としては、例えば請求項４に記載の発明によるように、前記支持体に形成されたロック孔にスライドピンが係合されることにより前記収納具を閉位置にロックし、前記操作部材の操作により前記スライドピンが前記ロック孔から後退されることにより前記ロックを解除するものを用いることができる。
【００１２】
また、収納具としては、請求項５に記載の発明によるように、車両のインストルメントパネルを支持体とし、このインストルメントパネルに開閉可能に取り付けられるグラブボックスが挙げられる。
【発明の効果】
【００１３】
本発明にかかるロック装置の締結構造によれば、ねじ部材の締め付けに伴うロック装置の位置ずれを抑制し、位置ずれに起因する見栄えの低下を抑制することができる。
【発明を実施するための最良の形態】
【００１４】
以下、本発明を具体化した一実施形態について、図１〜図１０を参照して説明する。なお、位置関係の記述において、前後関係を示すとき、それは車両の前後方向に合わせて用いるものとする。
【００１５】
図１〜図３の少なくとも１つに示すように、車両のインストルメントパネル１１において、助手席の前方に相当する箇所には、後端面において開口する凹所１２が設けられており、この凹所１２にグラブボックス１３が開閉可能に設けられている。ここで、インストルメントパネル１１が請求項における支持体に該当し、グラブボックス１３が収納具に該当する。
【００１６】
グラブボックス１３は、上端が開放された有底箱状のボックス本体１４と、そのボックス本体１４に対し、後ろ側から取り付けられたカバー部１５とを備えている。ボックス本体１４は、小物等を収容するためのものであり、グラブボックス１３の大部分を占めている。カバー部１５はグラブボックス１３の外壁を構成する部材であり、その後面１５Ａが意匠面となる。カバー部１５は、その下端部において軸１６により上記凹所１２の内側壁１７に略上下方向に回動可能に支持されている。これらボックス本体１４及びカバー部１５は、凹所１２から助手席側へ倒れた「開位置」と、凹所１２内に格納された「閉位置」（図１〜図３参照）との間で回動する。
【００１７】
カバー部１５の上部には、その後面１５Ａにおいて略矩形状に開口し、かつ前方へ凹んだ凹部１８が設けられている。凹部１８は、上端が開放された有底箱状をなしている。ここでは、凹部１８の各部を特定するために、カバー部１５の開口２１から所定距離前方へ隔てた箇所を「取付壁１９」といい、開口２１の両側縁２１Ｂ（図１０参照）及び上記取付壁１９の両側縁をそれぞれ繋ぐ箇所を「側壁２２」といい、開口２１の下縁及び取付壁１９の下縁間を繋ぐ箇所を「底壁２３」というものとする。取付壁１９の後面の少なくとも上部は平らな面に形成されている。各側壁２２の上部には切欠き２４が形成されており、同側壁２２の上端が取付壁１９よりも低くなっている。
【００１８】
上記ボックス本体１４及びカバー部１５間には、グラブボックス１３を閉位置にロックするとともに、操作部材の操作に応じてロックを解除するロック装置２６が設けられている。
【００１９】
図４〜図６の少なくとも１つに示すように、ロック装置２６は、支持枠２７、上記操作部材としての操作ハンドル２５、左右一対のスライドピン２８、左右一対のカム部材２９、及び左右一対のばね３１を備えて構成されている。
【００２０】
支持枠２７は、凹部１８内に配置されて、後述する締結構造により取付壁１９の上部に締結されている（図３参照）。支持枠２７の左右両側縁部には、後方へ向けて突出し、かつそれぞれ矩形状の支持孔３２（図７参照）を有する左右一対の支持片３３が形成されている。また、支持枠２７の複数箇所には、それぞれ前方へ向けて突出する平板状のリブが形成されている。これらのリブは、略垂直方向に延びる４片の縦リブ３４〜３７と、略水平方向へ延びる２片の横リブ３８，３９とからなる。各縦リブ３４〜３７の上部であって横リブ３８よりも上側の箇所は、前側ほど低くなるように傾斜している。また、支持枠２７の左右両端部には、それぞれ前方へ向けて突出する円筒状のボス４１，４２が形成されている。ボス４１は隣り合う縦リブ３４，３５間に位置し、ボス４２は隣り合う縦リブ３６，３７間に位置している。なお、各縦リブ３４〜３７、各横リブ３８，３９、及びボス４１，４２の各前端面は同一平面上に位置している。
【００２１】
操作ハンドル２５は、横長の略長方形板状をなす操作部４３と、その操作部４３の前側上部に円筒状に一体形成された左右一対のガイド部４４とを備えて構成されている。各ガイド部４４は左右方向に延びており、両端において開口されている。操作ハンドル２５は凹部１８における開口２１の上部に配置されており、上記左右両支持片３３間に配置された両ガイド部４４を支点として上下方向へ揺動可能である（図３参照）。
【００２２】
左右の各カム部材２９は、操作ハンドル２５の揺動運動を左右方向の往復直線運動に変換するためものである。各カム部材２９は、左右方向に並設された角筒状部４５及び円筒状部４６を有しており、円筒状部４６において上記ガイド部４４内に収容され、角筒状部４５において対応する上記支持片３３の支持孔３２に挿通されている（図７参照）。上記角筒状部４５及び支持孔３２が断面矩形状をなしていることから、各カム部材２９の左右方向への移動は可能であるが、軸周りの回転は不能である。各カム部材２９の外周にはカム溝４７が形成されており、ガイド部４４内に設けられた突起４８がこのカム溝４７に係入されている。そして、操作ハンドル２５の揺動に伴い、カム溝４７における突起４８の係合位置が変化し、カム部材２９が左右方向へ往復直線運動してガイド部４４から出没する。この出没は、上記各側壁２２の切欠き２４において行われる。
【００２３】
左右の各スライドピン２８は、その一端部において対応するカム部材２９に連結されており、上記操作ハンドル２５の揺動操作に応じたカム部材２９の往復直線運動に伴い左右方向へ移動する。
【００２４】
左右の各ばね３１は、操作ハンドル２５の各ガイド部４４内に圧縮状態で配置されており、左右の各カム部材２９をガイド部４４から突出させる方向へ付勢している。この付勢方向は、左右の各スライドピン２８を、凹所１２の内側壁１７に形成されたロック孔４９に係合させる方向である。
【００２５】
上記構成のロック装置２６では、乗員が操作ハンドル２５を操作しないときには、図５（Ａ）に示すように、ばね３１によって付勢された各カム部材２９がガイド部４４から大きく突出し、これとともに各スライドピン２８の端部が対応するロック孔４９内に係合し、グラブボックス１３が閉位置にロックされる。このときには操作ハンドル２５は略垂直状態となる。この状態から乗員が操作ハンドル２５を手前に引っ張って上方へ揺動させると、図５（Ｂ）に示すように、ばね３１に抗して各カム部材２９がガイド部４４内に没入する方向へ移動し、これとともに各スライドピン２８が後退してロック孔４９から抜け出す。ロック装置２６のロックが解除され、グラブボックス１３を開位置へ向けて回動させることが可能となる。
【００２６】
なお、図４及び図５中の５０は、施錠機構（図示略）を取り付けるための孔である。
次に、上記支持枠２７の取付壁１９に対する締結構造について説明する。図６及び図７の少なくとも一方に示すように、支持枠２７の前面には、ビス等のねじ部材５７の螺合可能なねじ穴５１を有するボス５２と、ねじ部材５８の螺合可能なねじ穴５３を有するボス５４とが形成されている。ボス５２は、両縦リブ３４，３５間であって、上記ボス４１の直下に位置している。この位置は上記横リブ３９と交わる箇所である。同様に、ボス５４は、両縦リブ３６，３７間であって、上記ボス４２の直下に位置している。この位置は上記横リブ３９と交わる箇所である。左右の両ボス５２，５４の前端面は、上述したボス４１，４２、縦リブ３４〜３７、及び横リブ３８，３９の各前端面と同一平面上に位置している。
【００２７】
取付壁１９の上部において、上記ボス５２のねじ穴５１に対応する箇所には、上記ねじ部材５７の挿通可能な孔５５があけられている。また、上記ボス５４のねじ穴５３に対応する箇所には、上記ねじ部材５８の挿通可能な孔５６があけられている。
【００２８】
さらに、取付壁１９に対し支持枠２７を幅方向、及び高さ方向について位置決めするために、支持枠２７の前面であって各ねじ穴５１，５３の近傍にはそれぞれ位置決めピン６１，６２が形成されている。位置決めピン６１は縦リブ３５と一体に形成され、位置決めピン６２は縦リブ３６と一体に形成されている。両位置決めピン６１，６２は、両縦リブ３５，３６よりも前方へ突出している。
【００２９】
取付壁１９の上部において、上記位置決めピン６１，６２に対応する２箇所には位置決め孔６３，６４があけられている。位置決めピン６１，６２の公差等を考慮し、位置決めピン６１，６２が対応する位置決め孔６３，６４に確実に挿入し得るように、一方の位置決め孔６３は横長に形成されている。
【００３０】
そして、ロック装置２６のグラブボックス１３への組み付けに際しては、そのロック装置２６の少なくとも一部（支持枠２７、操作ハンドル２５、両カム部材２９、及び両ばね３１等）が凹部１８内に配置される。位置決めピン６１が位置決め孔６３に挿入され、位置決めピン６２が位置決め孔６４に挿入されることで、ロック装置２６の支持枠２７等が凹部１８内の所定（正規）の箇所に位置決めされる。ねじ穴５１，５３が対応する孔５５，５６に合致する。また、図１０に示すように、操作ハンドル２５の上面２５Ａは水平略となり、左右両側面２５Ｂは略垂直となる。操作ハンドル２５の上面２５Ａと開口２１の上縁２１Ａとの間隙は一様となり、同操作ハンドル２５の左右両側面２５Ｂと開口２１の対応する側縁２１Ｂとの間隙は一様となる。
【００３１】
この状態で、ねじ部材５７が孔５５を通じてねじ穴５１に螺入されるとともに、ねじ部材５８が孔５６を通じてねじ穴５３に螺入され、図８及び図９に示すように、ロック装置２６が凹部１８の取付壁１９に締結される。
【００３２】
ところで、上記締結構造によると、ねじ部材５７，５８を締め付けたときに支持枠２７に対し時計回り方向の回転トルクが作用するところ、位置決めピン６１，６２が細いこともあり（直径が３ｍｍ程度）、位置決めピン６１，６２が同方向へ撓み、支持枠２７が凹部１８内の正規の位置からずれて組み付けられるおそれがある。これに伴い操作ハンドル２５が凹部１８内の正規の位置からずれて、すなわち傾いた状態で組み付けられる。操作ハンドル２５の上面２５Ａと開口２１の上縁２１Ａとの間隙は、図１０において二点鎖線で示すように、左側で大きく右側で小さいといったように、左右方向に不均一となる。同様に、操作ハンドル２５の左右両側面２５Ｂと開口２１の対応する側縁２１Ｂとの間隙もまた、図１０において二点鎖線で示すように、高さ方向に不均一となる。こうした間隙の不均一は、操作ハンドル２５及びその周辺部分の見栄えを低下させる一因となる。
【００３３】
そこで、本実施形態では、ねじ部材５７，５８による締結に伴うロック装置２６の回転を規制する回転規制部が設けられている。この回転規制部は、図６及び図７に示すように、凹部１８の取付壁１９の複数箇所に設けられた突部６５，６６によって構成されている。一方の突部６５は、ボス４１、位置決めピン６１の上方であって縦リブ３５における傾斜部分、及び横リブ３８上に対応する箇所に設けられており、左右方向に細長い形状をなしている。この箇所は、上記回転トルクによる位置決めピン６１の回転方向前方に相当する。他方の突部６６は、位置決めピン６２の下方であって横リブ３９の下面に対応する箇所に設けられている。この箇所は、上記回転トルクによる位置決めピン６２の回転方向前方に相当する。
【００３４】
上記のようにして構成された本実施形態では、ロック装置２６のグラブボックス１３への組み付けに際しねじ部材５７，５８を締め付けると、その締め付けに伴いロック装置２６に対し時計回り方向の回転トルクが作用する。位置決めピン６１，６２を撓ませながら同ロック装置２６を取付壁１９に対し回転させようとする。
【００３５】
しかし、図８及び図９に示すように、凹部１８の取付壁１９であってロック装置２６の回転方向前方に突部６５，６６が設けられていて、位置決めピン６１，６２により位置決めされた状態（ねじ部材５７，５８による締結前の状態）で、同突部６５，６６がロック装置２６の支持枠２７に接触又はそれに相当する状態となっている。ここでの「相当する状態」とは、突部６５，６６が支持枠２７に接近しており、ロック装置２６がわずかでも回転した場合にその支持枠２７に接触する状態をいう。
【００３６】
これらの突部６５，６６が支持枠２７に接触して、上記回転トルクの少なくとも一部を受け止める。そのため、受け止められた分、位置決めピン６１，６２に作用する回転トルクが小さくなる。特に、本実施形態では、突部６５，６６が取付壁１９の異なる２箇所に設けられているため、上記回転トルクがこれらの突部６５，６６によって受け止められる。１つ当たりの突部６５，６６が受け止める回転トルクが少なくなる。
【００３７】
その結果、位置決めピン６１，６２のみによって上記回転トルクを受け止める場合（背景技術がこれに該当する）に比べ、同位置決めピン６１，６２の撓み度合いが小さくなり、ロック装置２６が位置決めピン６１，６２によって規定される凹部１８内の正規の位置からずれて組み付けられる現象が起こりにくい。これに伴い、締結前には正規の箇所に配置されていた操作ハンドル２５が、締結後に傾いた状態（図１０の二点鎖線参照）となる現象が起こりにくくなる。締結後にも、操作ハンドル２５は正規の位置に配置された状態（図１０の実線参照）に保持される。
【００３８】
以上詳述した本実施形態によれば、次の効果が得られる。
（１）ロック装置２６の一部を位置決めピン６１，６２により凹部１８内の所定の箇所に位置決めした状態で、同ロック装置２６を凹部１８の取付壁１９に対しねじ部材５７，５８により締結するようにしたロック装置２６の締結構造において、ねじ部材５７，５８による締結に伴うロック装置２６の回転を規制する回転規制部を設けている。そのため、ねじ部材５７，５８の締め付けに伴うロック装置２６の位置ずれを抑制し、操作ハンドル２５が傾いて見栄えが低下する現象を抑制することができる。
【００３９】
（２）回転規制部を、凹部１８の取付壁１９であってロック装置２６の回転方向前方に設けられ、位置決めピン６１，６２により位置決めされたロック装置２６に接触又はそれに相当する状態となる突部６５，６６によって構成している。そのため、ねじ部材５７，５８の締め付けに伴う回転トルクを上記突部６５，６６によって受け止め、上記（１）の効果を確実なものとすることができる。
【００４０】
（３）突部６５，６６を取付壁１９の異なる２箇所に設けている。そのため、１つ当たりの突部６５，６６が受け止める回転トルクを小さくし、各突部６５，６６を小さく構成することができる。
【００４１】
（４）ねじ部材５７，５８の締め付けに伴うロック装置２６の位置ずれを抑制するという課題を解決するために、凹部１８側（取付壁１９）に突部６５，６６を設けるだけでよく、ロック装置２６側の部材（支持枠２７等）については対策を講じなくてもすむ。
【００４２】
なお、本発明は次に示す別の実施形態に具体化することができる。
・凹部１８の取付壁１９において、上記実施形態とは異なる箇所に回転規制部を設けてもよい。また、回転規制部を取付壁１９の１箇所又は３箇所以上に設けてもよい。
【００４３】
・回転規制部を取付壁１９とは異なる箇所、例えば、ロック装置２６の構成部材（支持枠２７）や、ボックス本体１４に設けてもよい。回転規制部を複数箇所に設ける場合、その一部を取付壁１９に設定し、残りを取付壁１９とは異なる箇所に設定してもよい。
【００４４】
・本発明は、位置決めピンが取付壁に設けられ、位置決め孔がロック装置（支持枠）に設けられている場合の締結構造にも適用可能である。
・本発明は、１又は３以上の箇所でロック装置（支持枠）を凹部の取付壁に締結するものにも適用可能である。また、本発明は、１又は３以上の箇所で位置決めピン及び位置決め孔によってロック装置（支持枠）の位置決めを行うものにも適用可能である。
【００４５】
・本発明は、インストルメントパネルに組み込まれ、小物等を収納するためのボックス本体と、このボックス本体の開口部を開閉する蓋体とを備えるグラブボックスにも適用可能である。この場合、蓋体にロック装置が設けられる。
【００４６】
・本発明は、グラブボックス以外の収納具にも適用可能である。この場合、インストルメントパネルとは異なる部材を支持体とする。
【図面の簡単な説明】
【００４７】
【図１】本発明を具体化した一実施形態におけるグラブボックスの縦断面図。
【図２】凹部を通る面におけるグラブボックスの縦断面図。
【図３】図２のＡ部を拡大して示す断面図。
【図４】操作ハンドルの一部を破断して示す正面図。
【図５】（Ａ），（Ｂ）はロック装置の動作を説明する概略平面図。
【図６】ロック装置を凹部の取付壁に締結する前の状態を示す部分背面図。
【図７】ロック装置を凹部の取付壁に締結する前の状態を示す部分斜視図。
【図８】ロック装置を凹部の取付壁に締結した状態を示す部分背面図。
【図９】図８において、突部によりロック装置の回転が規制される状態を示す背面図。
【図１０】凹部内における操作ハンドルの配置状態を示す部分正面図。
【図１１】背景技術におけるロック装置の締結構造を示す部分背面図。
【図１２】背景技術におけるロック装置を凹部の取付壁に締結する前の状態を示す部分斜視図。
【符号の説明】
【００４８】
１１…インストルメントパネル（支持体）、１３…グラブボックス（収納具）、１５…カバー部（外壁を構成）、１８…凹部、１９…取付壁、２５…操作ハンドル（操作部材）、２６…ロック装置、２８…スライドピン、４９…ロック孔、５７，５８…ねじ部材、６１，６２…位置決めピン、６５，６６…突部（回転規制部）。
【図１】
2008002118.tif 000003
【図２】
2008002118.tif 000004
【図３】
2008002118.tif 000005
【図４】
2008002118.tif 000006
【図５】
2008002118.tif 000007
【図６】
2008002118.tif 000008
【図７】
2008002118.tif 000009
【図８】
2008002118.tif 000010
【図９】
2008002118.tif 000011
【図１０】
2008002118.tif 000012
【図１１】
2008002118.tif 000013
【図１２】
2008002118.tif 000014